(57)【特許請求の範囲】
【請求項１】
中空支持体を有する基部材と、
前記中空支持体に対し回転可能に支持され、操作者の手指により操作される操作ノブと、
前記操作ノブの回転動作を検出する回転検出部と、
前記手指の接近または接触の入力動作を検出する静電容量センサと、を備えた入力装置であって、
前記操作ノブは、前記入力動作を受ける天面部を有した上ケースと、
前記中空支持体に支持される下ケースと、
前記上ケースの一方向側端部の外周と前記下ケースの他方向側端部の外周とが全周に亘って係合することで形成された係合部と、
この係合部を含み前記上ケースと前記下ケースとで形成された側壁部と、を有し、
前記側壁部には、前記操作ノブの表面に露出する導電性材料部が少なくとも一部に形成され、
前記静電容量センサの上方に前記天面部が配設されるとともに、前記静電容量センサの側面の全周を取り囲むように前記側壁部が配設され、
前記上ケースと前記下ケースとが係合する前記係合部の全周に亘って弾性を有する絶縁部材が配設され、
前記絶縁部材が、前記上ケースと前記下ケースとで圧接、挟持されており、
前記絶縁部材には、前記係合部の近傍において、前記導電性材料部と前記静電容量センサの前記側面側と、の間に、壁部を有することを特徴とする入力装置。
【請求項２】
前記絶縁部材は、前記係合部において、前記上ケースと前記下ケースのいずれか一方に隙間なく密着した状態で形成されていることを特徴とする請求項１に記載の入力装置。
【請求項３】
前記静電容量センサの下方側には、照光するための光源を有し、
前記上ケースには、前記天面部の周囲を取り囲む位置に、透光部を有し、
前記光源から前記透光部に光を導光するライトガイド部材を有していることを特徴とする請求項１または請求項２に記載の入力装置。
【発明の詳細な説明】
【技術分野】
【０００１】
本発明は、少なくとも回転操作可能な操作体を有する入力装置に関し、特に、操作ノブに手指の接近または接触を検出する静電容量センサを設けた入力装置に関する。
【背景技術】
【０００２】
従来、回転動作が可能な入力装置の操作ノブの天面に、静電容量の変化を検出するタッチパッドを設けることで、回転入力と座標入力とを一つのデバイスで行うことが可能な入力装置が存在していた。
【０００３】
上述のような入力装置として、特許文献１では、図１０に示すような入力装置９００が提案されている。図１０は、特許文献１（従来例）の入力装置９００を説明する図であって、図１０（ａ）は、入力装置９００の縦断面図であり、図１０（ｂ）は、図１０（ａ）に示すＲ部分の拡大断面図である。
【０００４】
図１０（ａ）に示す入力装置９００は、中空支持体９１１を有する基部材９０５と、中空支持体９１１に対し回転自在でかつ回転軸方向に沿って往復動自在となるように支持された操作体９０６と、操作体９０６の天面部９２０ｃの裏側に配設されたタッチパッド９０７と、操作体９０６の回転動作を検出する回転検出部９０８と、操作体の往復動作を検出する押圧検出部（図１０（ａ）では図示していない）と、を有して構成される。
【０００５】
また、入力装置９００の操作体９０６は、天面部９２０ｃが形成された有底筒状の操作ノブ９２０と、軸受部９２２を介して操作ノブ９２０を回転自在に保持する中空筒状の支持体９２１とで構成され、この支持体９２１は、操作ノブ９２０とともに図中上下方向（回転軸方向）に往復動自在になるように中空支持体９１１（基部材９０５）に支持されている。また、操作体９０６の操作ノブ９２０は、天面部９２０ｃを有する上部部材９２０ａと、上部部材９２０ａの下部に固定されて基部材９０５内に挿入される下部部材９２０ｂとから構成され、操作者が操作しやすいように、上部部材９２０ａは、下部部材９２０ｂより大きな径を有している。
【０００６】
そして、入力装置９００は、操作ノブ９２０の回転を回転検出部９０８で検知し、操作ノブ９２０の上下動を押圧検出部で検知し、天面部９２０ｃの操作状況をタッチパッド９０７で検知し、回転入力、押圧入力及び座標入力を一つのデバイスで行うことが可能な大変優れた装置となっている。
【先行技術文献】
【特許文献】
【０００７】
【特許文献１】特開２０１２−２２１４３９号公報
【発明の概要】
【発明が解決しようとする課題】
【０００８】
このような入力装置に対して、使用上の意匠性を高めるために、操作ノブの少なくとも一部の表面に金属皮膜を設ける構成の要望があった。例えば、従来例１の入力装置９００に金属皮膜を設ける場合、図１０（ｂ）に示すように、操作ノブ９２０の上部部材９２０ａの側壁外周面９２０ｗに金属皮膜を設けることが考えられる。
【０００９】
しかしながら、操作ノブ９２０の表面に金属皮膜を設けた場合、この操作ノブ９２０に帯電した静電気が金属被膜を介して隙間ＳＳから空間ＡＺに放電し、操作ノブ９２０の天面部９２０ｃの裏側に配設されたタッチパッド９０７に到達するようになる。このため、タッチパッド９０７を構成する回路基板に搭載された集積回路に損傷を与えたり、集積回路の誤動作を引き起こしたりするといった問題があった。
【００１０】
一方、この損傷や誤動作を防止するためには、金属皮膜から回路基板までの距離を一定以上離す必要があり、タッチパッド９０７の検知範囲、つまり回路基板の外形より一定以上の距離を離して操作ノブ９２０の側壁外周面９２０ｗを形成しなければいけなかった。このため、操作ノブ９２０のサイズが大きくなり、ひいては入力装置の外形サイズが大きくなってしまうという問題があった。
【００１１】
本発明は、上述した課題を解決するもので、外形サイズを大きくすることなく静電気耐性を向上させることが可能な入力装置を提供することを目的とする。
【課題を解決するための手段】
【００１２】
この課題を解決するために、本発明の入力装置は、中空支持体を有する基部材と、前記中空支持体に対し回転可能に支持され、操作者の手指により操作される操作ノブと、前記操作ノブの回転動作を検出する回転検出部と、前記手指の接近または接触の入力動作を検出する静電容量センサと、を備えた入力装置であって、前記操作ノブは、前記入力動作を受ける天面部を有した上ケースと、前記中空支持体に支持される下ケースと、前記上ケースの一方向側端部の外周と前記下ケースの他方向側端部の外周とが全周に亘って係合することで形成された係合部と、この係合部を含み前記上ケースと前記下ケースとで形成された側壁部と、を有し、前記側壁部には、前記操作ノブの表面に露出する導電性材料部が少なくとも一部に形成され、前記静電容量センサの上方に前記天面部が配設されるとともに、前記静電容量センサの側面の全周を取り囲むように前記側壁部が配設され、前記上ケースと前記下ケースとが係合する前記係合部の全周に亘って弾性を有する絶縁部材が配設され、前記絶縁部材が、前記上ケースと前記下ケースとで圧接、挟持されており、前記絶縁部材には、前記係合部の近傍において、前記導電性材料部と前記静電容量センサの前記側面側と、の間に、壁部を有することを特徴としている。
【００１３】
これによれば、本発明の入力装置は、上ケースと下ケースが係合する係合部に隙間が生じないので、操作ノブに帯電した静電気が導電性材料部を介して静電容量センサ側の空間に放電することを抑えられる。このため、使用上の意匠性を高めるために用いられた導電性材料部と静電容量センサとの距離を一定以上離す必要がなく、より双方を近づけることができる。このことにより、外形サイズを大きくすることなく静電気耐性を向上させることが可能となる。
【００１５】
更に、壁部により、上ケースと下ケースの係合部における、絶縁部材が挟持されたつなぎ目が確実に遮られることとなる。このため、操作ノブに帯電した静電気が導電性材料部を介して静電容量センサ側の空間に放電することをより抑えることができる。このことにより、導電性材料部と静電容量センサとの距離を一定以上離す必要がなく、より一層、双方を近づけることができるので、外形サイズを大きくすることなく静電気耐性をより向上させることができる。
【００１６】
また、本発明の入力装置は、前記絶縁部材が、前記係合部において、前記上ケースと前記下ケースのいずれか一方に隙間なく密着した状態で形成されていることを特徴としている。
【００１７】
これによれば、絶縁部材と、上ケースと下ケースのいずれかに一方と、の密着力が向上し、係合部に隙間がより生じなくなる。このことにより、操作ノブに帯電した静電気が導電性材料部を介して静電容量センサ側の空間に放電することをより一層抑えることができる。
【００１８】
また、本発明の入力装置は、前記静電容量センサの下方側には、照光するための光源を有し、前記上ケースには、前記天面部の周囲を取り囲む位置に、透光部を有し、前記光源から前記透光部に光を導光するライトガイド部材を有していることを特徴としている。
【００１９】
これによれば、このライトガイド部材が、静電容量センサの側面の全周を取り囲むようになる。このため、操作ノブに帯電した静電気が放電する導電性材料部と静電容量センサとの間をこのライトガイド部材が遮ることとなる。このことにより、放電した静電気が静電容量センサに達することを防止でき、導電性材料部と静電容量センサとをより一層近づけることができる。
【発明の効果】
【００２０】
本発明の入力装置は、上ケースと下ケースが係合する係合部に隙間が生じなく、操作ノブに帯電した静電気が導電性材料部を介して静電容量センサ側の空間に放電することが抑えられる。このため、使用上の意匠性を高めるために用いられた導電性材料部と静電容量センサとの距離を一定以上離す必要がなく、より双方を近づけることができる。このことにより、外形サイズを大きくすることなく静電気耐性を向上させることが可能となる。
【図面の簡単な説明】
【００２１】
【図１】本発明の第１実施形態の入力装置を説明する分解斜視図である。
【図２】本発明の第１実施形態の入力装置を説明する斜視図である。
【図３】本発明の第１実施形態の入力装置を説明する側面図である。
【図４】本発明の第１実施形態の入力装置を説明する上面図である。
【図５】本発明の第１実施形態の入力装置を説明する図であって、図４に示すＶ−Ｖ線における断面図である。
【図６】本発明の第１実施形態の入力装置を説明する図であって、図４に示すＶＩ−ＶＩ線における断面図である。
【図７】本発明の第１実施形態の入力装置を説明する図であって、図４に示すＶＩＩ−ＶＩＩ線における断面図である。
【図８】本発明の第１実施形態の入力装置を説明する図であって、図８（ａ）は、図５に示すＰ部分の拡大断面図であり、図８（ｂ）は、図７に示すＱ部分の拡大断面図である。
【図９】本発明の第１実施形態の入力装置の変形例を説明する図であって、図９（ａ）は、図８（ｂ）と比較した変形例１の拡大断面図であり、図９（ｂ）は、図８（ｂ）と比較した変形例２の拡大断面図である。
【図１０】従来例の入力装置を説明する図であって、図１０（ａ）は、入力装置の縦断面図であり、図１０（ｂ）は、図１０（ａ）に示すＲ部分の拡大断面図である。
【発明を実施するための形態】
【００２２】
以下、本発明の実施の形態について図面を参照して説明する。
【００２３】
［第１実施形態］
図１は、本発明の第１実施形態の入力装置１０１を説明する分解斜視図である。図２は、本発明の第１実施形態の入力装置１０１を説明する斜視図である。図３は、本発明の第１実施形態の入力装置１０１を説明する側面図である。図４は、本発明の第１実施形態の入力装置１０１を説明する上面図である。図５は、本発明の第１実施形態の入力装置１０１を説明する図であって、図４に示すＶ−Ｖ線における断面図である。図６は、本発明の第１実施形態の入力装置１０１を説明する図であって、図４に示すＶＩ−ＶＩ線における断面図である。図７は、本発明の第１実施形態の入力装置１０１を説明する図であって、図４に示すＶＩＩ−ＶＩＩ線における断面図である。図８は、本発明の第１実施形態の入力装置１０１を説明する図であって、図８（ａ）は、図５に示すＰ部分の拡大断面図であり、図８（ｂ）は、図７に示すＱ部分の拡大断面図である。
【００２４】
本発明の第１実施形態の入力装置１０１は、図１に示すように、中空支持体１１を有する基部材１と、操作者の手指により操作される操作ノブ３と、操作ノブ３の回転動作を検出する回転検出部５と、手指の接近または接触の入力動作を検出する静電容量センサ７と、を備えて構成される。
【００２５】
操作ノブ３は、図１及び図３に示すように、操作者の手指で掴まれるような有底筒状の形状をしており、操作者の手指により、回転操作や押圧操作等の入力操作が行われる。この回転操作のために、操作ノブ３は、中空支持体１１に対し回転可能に支持されている。この回転可能に支持する機構についての詳細な説明は省略するが、ベアリング機構を用いて容易に達成できる。また、回転操作時のカクカク感触もカム機構を用いて容易に達成している。
【００２６】
また、操作ノブ３を回転可能に支持している基部材１は、図１に示すように、ベアリング機構を介して操作ノブ３を支持している中空支持体１１と、中空支持体１１の円筒部１１ｅが挿通される開口部２１ｋを有した支持部２１と、から構成されており、中空支持体１１と支持部２１とは係合されている。なお、本発明の第１実施形態に係わる入力装置１０１は、この基部材１と係わって、操作ノブ３及び基部材１の全体を上下に移動させるプッシュ機構や左右前後に移動させるスライド機構を有しているが、それら機構についても詳細な図示及び説明は省略する。
【００２７】
操作ノブ３は、ポリカーボネート（ＰＣ、polycarbonate）等の合成樹脂を用い、図１ないし図３に示すように、入力動作を受ける天面部１３ｍを有した上ケース１３と、中空支持体１１に支持される下ケース３３と、から構成され、図５ないし図７に示すように、上ケース１３の一方向側（図５に示すＺ２方向側）端部の外周と下ケース３３の他方向側（図５に示すＺ１方向側）端部の外周とが全周に亘って係合している。これは、有底筒状の形状をしているので、少なくとも２つ以上の部品が必要となるためである。そして、この係合している係合部１３ｋを含んで、上ケース１３と下ケース３３とで操作ノブ３の側壁部２３ｓを形成している。
【００２８】
また、図５ないし図７に示すように、上ケース１３には、天面部１３ｍの周囲を取り囲む位置に、透光部１３ｔを有している。また、本発明の第１実施形態では、図５ないし図７に示すように、上ケース１３の天面部１３ｍを覆うようにして、デザイン性の向上や手指での操作感触を高めるため等で、フィルムシートＦ３が貼り付けられている。このため、天面部１３ｍ及び側壁部２３ｓを有した上ケース１３がポリカーボネート（ＰＣ、polycarbonate）等の透光性の樹脂で一体に成形されており、フィルムシートＦ３に遮光性の基材を用いて天面部１３ｍに貼り付けられているので、それ以外の部分が透光部１３ｔを構成するようになっている。
【００２９】
また、本発明の第１実施形態では、前述した側壁部２３ｓを覆うようにしてリング状の横ケース５３が別部品として設けられており、この横ケース５３の全面には、使用上の意匠性を高めるために、ニッケル等の金属メッキが施されている。これにより、図５ないし図８に示すように、操作ノブ３の表面に露出する側壁部２３ｓに、導電性材料部２３ｃが形成されるようになる。なお、製造上或いは設計上の都合から、別部品の横ケース５３を設ける構成にして、前述した側壁部２３ｓと横ケース５３とで操作ノブ３の側壁部２３ｓとしているが、横ケース５３を用いない構成で、上ケース１３の下垂部分と下ケース３３の立設部分とで側壁部を構成しても良い。或いは、上ケース１３の下垂部分のみまたは下ケース３３の立設部分のみで側壁部を構成しても良い。
【００３０】
また、上ケース１３の天面部１３ｍの下方側（図５に示すＺ２方向側）には、図５ないし図７に示すように、プリント回路板（ＰＣＢ、printed circuit board）を用いた静電容量センサ７が配設されている。この静電容量センサ７は、検出用電極が絶縁層を挟んで２層になるように設けられ、プリント回路板（ＰＣＢ）の上方側（図５に示すＺ１方向側）に形成されている。更に、上ケース１３の天面部１３ｍの下方側で、静電容量センサ７との間には、操作ノブ３の回転を容易にするため、スライドシートＳ１４が設けられている。
【００３１】
そして、操作者の手指がフィルムシートＦ３に接近または接触して操作を行った入力動作が、静電容量センサ７の上方に配設された上ケース１３の天面部１３ｍを挟んでいながら（天面部１３ｍの上下には、フィルムシートＦ３とスライドシートＳ１４が設けられている）、僅かな静電容量の変化となり、この僅かな静電容量の変化を検出用電極で検出することにより、位置情報或いは状態情報として、静電容量センサ７この入力できるようになる。
【００３２】
また、上ケース１３の天面部１３ｍの下方側（図５に示すＺ２方向側）に配設された静電容量センサ７は、静電容量センサ７の側面７ｐの全周を取り囲むように側壁部２３ｓが配設されるようになっている。
【００３３】
本発明の第１実施形態の入力装置１０１では、図５ないし図７に示すように、上ケース１３と下ケース３３とが係合する係合部１３ｋの全周に亘って、絶縁性で絶縁部材ＮＣ９が配設されている。また、この絶縁部材ＮＣ９は、合成ゴム等の材料を用いて弾性を有しており、上ケース１３と下ケース３３とで圧接、挟持されて、図示はしていないが、弾性変形している。これにより、上ケース１３と下ケース３３が係合する係合部１３ｋに従来例のように隙間ＳＳが生じなく、操作ノブ３に帯電した静電気が導電性材料部２３ｃを介して静電容量センサ７側の空間ＣＶ（図８に示す）に放電することが抑えられる。このため、使用上の意匠性を高めるために用いられた導電性材料部２３ｃと静電容量センサ７との距離を一定以上離す必要がなく、より双方を近づけることができる。このことにより、外形サイズを大きくすることなく静電気耐性を向上させることが可能となる。
【００３４】
また、絶縁部材ＮＣ９は、図８（ｂ）に示すように、係合部１３ｋの近傍において、導電性材料部２３ｃと静電容量センサ７の側面７ｐ側と、の間に、全周に亘って、壁部ＮＣ９ｗを有している。これにより、上ケース１３と下ケース３３の係合部１３ｋにおける、絶縁部材ＮＣ９が挟持されたつなぎ目が確実に遮られることとなる。このため、操作ノブ３に帯電した静電気が導電性材料部２３ｃを介して静電容量センサ７側の空間ＣＶに放電することをより抑えることができる。このことにより、導電性材料部２３ｃと静電容量センサ７との距離を一定以上離す必要がなく、より一層、双方を近づけることができるので、外形サイズを大きくすることなく静電気耐性をより向上させることができる。
【００３５】
また、絶縁部材ＮＣ９は、係合部１３ｋにおいて、２色成形を用いて、図８に示すように、下ケース３３に一体となって形成されている。これにより、絶縁部材ＮＣ９と下ケース３３との密着力が向上し、係合部１３ｋに従来例のように隙間ＳＳがより生じなくなる。このことにより、操作ノブ３に帯電した静電気が導電性材料部２３ｃを介して静電容量センサ７側の空間ＣＶに放電することをより一層抑えることができる。また、下ケース３３に一体となって絶縁部材ＮＣ９が形成されているので、下ケース３３に上ケース１３を組み込むだけで、上ケース１３と下ケース３３とで圧接、挟持することができる。このことにより、入力装置１０１を組み立てるのが容易になるとともに、上ケース１３と下ケース３３とが係合する係合部１３ｋの全周に亘って、絶縁部材ＮＣ９を確実に配設することができる。なお、本発明の第１実施形態では、下ケース３３に一体となって絶縁部材ＮＣ９を形成する構成としたが、上ケース１３に一体となって絶縁部材ＮＣ９を形成する構成にしても良い。
【００３６】
また、静電容量センサ７が設けられたプリント回路板（ＰＣＢ）の下方側の下面には、図６に示すように、ホール素子がパッケージングされた磁気センサ１５が搭載されているとともに、図７に示すように、発光ダイオード（ＬＥＤ、Light Emitting Diode）がパッケージングされた光源ＲＳが搭載されている。また、プリント回路板（ＰＣＢ）の下面には、コネクタＣＮも搭載されており、このコネクタＣＮを介して、静電容量センサ７や磁気センサ１５で検知した信号の送信や光源ＲＳへの電力の供給等、図示していないフレキシブルプリント基板（ＦＰＣ、Flexible printed circuits）で外部機器と接続されている。なお、本発明の第１実施形態では、図１に示すように、１つの磁気センサ１５と操作ノブ３の回転軸を中心として配設された８つの光源ＲＳを用いている。
【００３７】
また、図５ないし図７に示すように、静電容量センサ７の下方側には、リング状の磁石２５（図１を参照）が下ケース３３に固定されて設けられており、磁気センサ１５と対向する位置に配設されている。この磁石２５と磁気センサ１５とで回転検出部５を構成しており、操作ノブ３の回転動作を検出している。
【００３８】
また、本発明の第１実施形態の入力装置１０１では、図５ないし図７に示すように、静電容量センサ７の下方側には、光源ＲＳからの光を導光するライトガイド部材Ｌ８が設けられ、中空支持体１１に固定されている。なお、前述した静電容量センサ７が設けられたプリント回路板（ＰＣＢ）は、このライトガイド部材Ｌ８に載置されて固定されている。
【００３９】
また、このライトガイド部材Ｌ８は、図１に示すように、リング状に形成された枠部Ｌ８ｗと、この枠部Ｌ８ｗの一端部から操作ノブ３の回転軸に向かって延設された縁部Ｌ８ｇと、この縁部Ｌ８ｇから回転軸に向かって延設された５本の桟部Ｌ８ｓと、この桟部Ｌ８ｓと接続され中空支持体１１と係合される基体Ｌ８ｂと、から構成されている。また、本発明の第１実施形態の入力装置１０１が組み立てられた際には、図５ないし図８に示すように、枠部Ｌ８ｗの他端部と上ケース１３の透光部１３ｔとが対向するともに、図７に示すように、縁部Ｌ８ｇと光源ＲＳとが対向するようになる。これにより、光源ＲＳから発光された光がライトガイド部材Ｌ８により透光部１３ｔに導光され、透光部１３ｔが照光されるようになる。なお、言うまでもないが、光源ＲＳの発光面は、縁部Ｌ８ｇと対向する向きになっている。
【００４０】
このようにライトガイド部材Ｌ８が配設されているので、このライトガイド部材Ｌ８が、静電容量センサ７の側面７ｐの全周を取り囲むようになっている。このため、操作ノブ３に帯電した静電気が放電する導電性材料部２３ｃと静電容量センサ７との間をこのライトガイド部材Ｌ８が遮ることとなる。このことにより、放電した静電気が静電容量センサ７に達することを防止でき、導電性材料部２３ｃと静電容量センサ７とをより一層近づけることができる。
【００４１】
以上のように構成された本発明の第１実施形態の入力装置１０１における、効果について、以下に説明する。
【００４２】
本発明の第１実施形態の入力装置１０１は、弾性を有した絶縁部材ＮＣ９が上ケース１３と下ケース３３とで圧接、挟持されて全周に渡って配設されているので、上ケース１３と下ケース３３が係合する係合部１３ｋに隙間が生じなく、操作ノブ３に帯電した静電気が導電性材料部２３ｃを介して静電容量センサ７側の空間ＣＶに放電することが抑えられる。このため、使用上の意匠性を高めるために用いられた導電性材料部２３ｃと静電容量センサ７との距離を一定以上離す必要がなく、より双方を近づけることができる。このことにより、外形サイズを大きくすることなく静電気耐性を向上させることが可能となる。
【００４３】
また、絶縁部材ＮＣ９が導電性材料部２３ｃと静電容量センサ７の側面７ｐ側との間に、壁部ＮＣ９ｗを有するので、この壁部ＮＣ９ｗにより、上ケース１３と下ケース３３の係合部１３ｋにおける、絶縁部材ＮＣ９が挟持されたつなぎ目が確実に遮られることとなる。このため、操作ノブ３に帯電した静電気が導電性材料部２３ｃを介して静電容量センサ７側の空間ＣＶに放電することをより抑えることができる。このことにより、導電性材料部２３ｃと静電容量センサ７との距離を一定以上離す必要がなく、より一層、双方を近づけることができるので、外形サイズを大きくすることなく静電気耐性をより向上させることができる。
【００４４】
また、絶縁部材ＮＣ９が、係合部１３ｋにおいて、下ケース３３に２色成形して形成されているので、絶縁部材ＮＣ９と下ケース３３との密着力が向上し、係合部１３ｋに隙間がより生じなくなる。このことにより、操作ノブ３に帯電した静電気が導電性材料部２３ｃを介して静電容量センサ７側の空間ＣＶに放電することをより一層抑えることができる。
【００４５】
また、光源ＲＳから天面部１３ｍの周囲を取り囲む位置の透光部１３ｔに光を導光するライトガイド部材Ｌ８を有しているので、このライトガイド部材Ｌ８が、静電容量センサ７の側面７ｐの全周を取り囲むようになる。このため、操作ノブ３に帯電した静電気が放電する導電性材料部２３ｃと静電容量センサ７との間をこのライトガイド部材Ｌ８が遮ることとなる。このことにより、放電した静電気が静電容量センサ７に達することを防止でき、導電性材料部２３ｃと静電容量センサ７とをより一層近づけることができる。
【００４６】
なお、本発明は上記実施形態に限定されるものではなく、例えば次のように変形して実施することができ、これらの実施形態も本発明の技術的範囲に属する。
【００４７】
図９は、図９（ａ）は、図８（ｂ）と比較した変形例１の拡大断面図であり、図９（ｂ）は、図８（ｂ）と比較した変形例２の拡大断面図である。
【００４８】
＜変形例１＞＜変形例２＞
上記第１実施形態では、図８（ｂ）に示すように、下ケース３３側に絶縁部材ＮＣ９の壁部ＮＣ９ｗを設けた構成にした。そこで、図９（ａ）に示すように、上ケースＣ１３側に絶縁部材ＣＮＣ９の壁部ＮＣ９ｗｃを設けた構成にしても良い。また、図９（ｂ）に示すように、上ケースＤ１３及び下ケースＤ３３側の両方に、絶縁部材ＤＮＣ９の壁部ＮＣ９ｗｄを設けた構成にしても良い。
【００４９】
＜変形例３＞
上記第１実施形態では、ライトガイド部材Ｌ８を設けるように好適に構成にしたが、ライトガイド部材Ｌ８を設けなる構成であっても良い。
【００５０】
＜変形例４＞
上記第１実施形態では、磁気センサ１５と磁石２５とで回転検出部５を非接触で好適に構成したが、これに限らず、例えば接触型の回転型可変抵抗器を用いて操作ノブ３の回転動作を検出しても良い。
【００５１】
本発明は上記実施の形態に限定されず、本発明の目的の範囲を逸脱しない限りにおいて適宜変更することが可能である。
【符号の説明】
【００５２】
１      基部材
１１    中空支持体
３      操作ノブ
１３、Ｃ１３、Ｄ１３  上ケース
３３、Ｄ３３  下ケース
１３ｋ  係合部
１３ｍ  天面部
１３ｔ  透光部
２３ｃ  導電性材料部
２３ｓ  側壁部
５      回転検出部
７      静電容量センサ
７ｐ    側面
Ｌ８    ライトガイド部材
ＬＥ    光源
ＮＣ９、ＣＮＣ９、ＤＮＣ  絶縁部材
ＮＣ９ｗ、ＮＣ９ｗｃ、ＮＣ９ｗｄ  壁部
１０１  入力装置
【図１】
0005936249.tif 000002
【図２】
0005936249.tif 000003
【図３】
0005936249.tif 000004
【図４】
0005936249.tif 000005
【図５】
0005936249.tif 000006
【図６】
0005936249.tif 000007
【図７】
0005936249.tif 000008
【図８】
0005936249.tif 000009
【図９】
0005936249.tif 000010
【図１０】
0005936249.tif 000011